(57)【特許請求の範囲】
【請求項１】
撮影を行って画像情報を得る撮像手段を備えた撮像装置であって、
前記得られる画像情報がイベントに該当するか否かを判別するイベント判別手段と、
前記イベントに該当する場合、前記画像情報に存在するシンボルを検出するシンボル検出手段と、
前記画像情報に対し、前記検出されたシンボルに関連付けられた画像効果処理を行う画像効果処理手段とを備えたことを特徴とする撮像装置。
【請求項２】
前記イベント判別手段は、前記画像情報に関連付けられたイベントのイベント識別情報を判別し、
前記シンボル検出手段は、前記イベント識別情報に関連付けられたシンボルを検出することを特徴とする請求項１記載の撮像装置。
【請求項３】
前記撮像装置の位置情報を取得する位置情報取得手段を備え、
前記撮像手段は、前記取得した位置情報を基に、前記イベントに該当する画像情報を得る撮影を行うことを特徴とする請求項１記載の撮像装置。
【請求項４】
撮影日時を認識する撮影日時認識手段を備え、
前記画像効果手段は、前記認識した撮影日時を基に、前記画像効果処理を行うことを特徴とする請求項１記載の撮像装置。
【請求項５】
イベント状態を入力するイベント状態入力手段を備え、
前記撮像手段は、前記入力したイベント状態を基に、前記イベントに該当する画像情報を得る撮影を行うことを特徴とする請求項１記載の撮像装置。
【請求項６】
前記撮像装置が特定のネットワークに接続可能なエリア内にあることを検知するエリア内検知手段を備え、
前記エリア内にあることが検知された場合、前記撮像手段は、前記特定のネットワークの情報を基に、前記イベントに該当する画像情報を得る撮影を行うことを特徴とする請求項１記載の撮像装置。
【請求項７】
前記撮像手段は、前記シンボル検出手段によって特定のシンボルが検出された場合、前記イベントに該当する画像情報を得る撮影を開始することを特徴とする請求項１記載の撮像装置。
【請求項８】
前記イベント識別情報に複数の前記シンボルのシンボル識別情報を関連付けて記憶しておき、
前記画像効果処理手段は、前記シンボル識別情報に応じた画像効果処理を行うことを特徴とする請求項１記載の撮像装置。
【請求項９】
前記シンボル検出手段は、撮影実行中、前記画像情報に存在するシンボルを検出することを特徴とする請求項１記載の撮像装置。
【請求項１０】
前記シンボル検出手段は、撮影が実行されていない時、前記画像情報に存在するシンボルを検出することを特徴とする請求項１記載の撮像装置。
【請求項１１】
前記画像効果処理手段は、撮影実行中、前記画像効果処理を行うことを特徴とする請求項１記載の撮像装置。
【請求項１２】
前記画像情報を再生する画像再生手段を備え、
前記画像効果処理手段は、再生中、前記画像効果処理を行うことを特徴とする請求項１記載の撮像装置。
【請求項１３】
前記画像効果処理手段による画像効果処理の実行を指示する操作手段を備えたことを特徴とする請求項１記載の撮像装置。
【請求項１４】
前記画像効果処理が行われた画像情報を記録する記録手段を備えたことを特徴とする請求項１記載の撮像装置。
【請求項１５】
前記記録手段は、前記画像効果処理が行われた画像情報、および前記画像効果処理が行われていない画像情報を記録することを特徴とする請求項１４記載の撮像装置。
【請求項１６】
撮影を行って画像情報を得る撮像装置の画像処理方法であって、
前記得られる画像情報がイベントに該当するか否かを判別するイベント判別ステップと、
前記イベントに該当する場合、前記画像情報に存在するシンボルを検出するシンボル検出ステップと、
前記画像情報に対し、前記検出されたシンボルに関連付けられた画像効果処理を行う画像効果処理ステップとを有することを特徴とする画像処理方法。
【請求項１７】
画像情報を再生する再生装置であって、
前記画像情報がイベントに該当するか否かを判別する判別手段と、
前記イベントに該当する場合、前記画像情報に存在するシンボルを検出するシンボル検出手段と、
前記画像情報に対し、前記検出されたシンボルに関連付けられた画像効果処理を行う画像効果処理手段とを備えたことを特徴とする再生装置。
【請求項１８】
撮影を行って画像情報を得る撮像装置の画像処理方法をコンピュータに実行させるプログラムであって、
前記画像処理方法は、
前記得られる画像情報がイベントに該当するか否かを判別するイベント判別ステップと、
前記イベントに該当する場合、前記画像情報に存在するシンボルを検出するシンボル検出ステップと、
前記画像情報に対し、前記検出されたシンボルに関連付けられた画像効果処理を行う画像効果処理ステップとを有することを特徴とするプログラム。
【請求項１９】
請求項１８記載のプログラムを格納することを特徴とするコンピュータで読み取り可能な記憶媒体。
【発明の詳細な説明】
【技術分野】
【０００１】
本発明は、撮影を行って画像情報を得る撮像装置、その画像処理方法、再生装置、プログラムおよび記憶媒体に関する。
【背景技術】
【０００２】
近年、デジタルビデオカメラの普及に伴い、自分で撮影した画像に対して簡単に画像効果処理を行い、その再生を楽しむユーザが増えている。しかし、これらの画像効果処理では、ユーザがシーン毎に効果を選択し、効果実行タイミングなどの細かい設定を行う必要があった。
【０００３】
この点に関し、自動的に適切なタイミングで画像効果処理を行う手段が提案されている（特許文献１参照）。この提案は、被写体の特徴を解析し、その解析結果に応じてアニメーション効果を自動挿入するというものであった。
【特許文献１】特開２００１−２３０９７２号公報
【発明の開示】
【発明が解決しようとする課題】
【０００４】
しかしながら、上記従来の撮像装置では、以下に掲げる問題があった。ユーザが予めビデオカメラのメモリ内にアニメーション効果を記憶しておくと、このアニメーション効果が決まったタイミングでのみ発生する。しかし、繰り返し撮影を行うと、次第にその娯楽性が低下することが懸念された。
【０００５】
そこで、本発明は、繰り返し撮影を行っても娯楽性を維持することができる撮像装置、その画像処理方法、再生装置、プログラムおよび記憶媒体を提供することを目的とする。
【課題を解決するための手段】
【０００６】
上記目的を達成するために、本発明の撮像装置は、撮影を行って画像情報を得る撮像手段を備えた撮像装置であって、前記得られる画像情報がイベントに該当するか否かを判別するイベント判別手段と、前記イベントに該当する場合、前記画像情報に存在するシンボルを検出するシンボル検出手段と、前記画像情報に対し、前記検出されたシンボルに関連付けられた画像効果処理を行う画像効果処理手段とを備えたことを特徴とする。
【０００７】
本発明の撮像装置の画像処理方法は、撮影を行って画像情報を得る撮像装置の画像処理方法であって、前記得られる画像情報がイベントに該当するか否かを判別するイベント判別ステップと、前記イベントに該当する場合、前記画像情報に存在するシンボルを検出するシンボル検出ステップと、前記画像情報に対し、前記検出されたシンボルに関連付けられた画像効果処理を行う画像効果処理ステップとを有することを特徴とする。
【０００８】
本発明の再生装置は、画像情報を再生する再生装置であって、前記画像情報がイベントに該当するか否かを判別する判別手段と、前記イベントに該当する場合、前記画像情報に存在するシンボルを検出するシンボル検出手段と、前記画像情報に対し、前記検出されたシンボルに関連付けられた画像効果処理を行う画像効果処理手段とを備えたことを特徴とする。
【０００９】
本発明のプログラムは、撮影を行って画像情報を得る撮像装置の画像処理方法をコンピュータに実行させるプログラムであって、前記画像処理方法は、前記得られる画像情報がイベントに該当するか否かを判別するイベント判別ステップと、前記イベントに該当する場合、前記画像情報に存在するシンボルを検出するシンボル検出ステップと、前記画像情報に対し、前記検出されたシンボルに関連付けられた画像効果処理を行う画像効果処理ステップとを有することを特徴とする。
【発明の効果】
【００１０】
本発明の請求項１に係る撮像装置は、得られる画像情報がイベントに該当するか否かを判別し、イベントに該当する場合、画像情報に存在するシンボルを検出し、画像情報に対し、検出されたシンボルに関連付けられた画像効果処理を行う。これにより、イベントに関連した画像効果処理を、適切な場面で自動的に挿入することが可能となる。従って、イベントに関連付けて特定の画像効果を撮影画像に与えることができ、繰り返し撮影を行っても娯楽性を維持することができる。また、ユーザがシーンごとに画像効果を一々設定する煩わしさが解消される。
【００１１】
請求項２に係る撮像装置によれば、イベントに関連付けて特定の画像効果を撮影画像に与えることが可能である。請求項３に係る撮像装置によれば、撮影位置に特化した画像効果処理を行うことが可能である。請求項４に係る撮像装置によれば、撮影日時に特化した画像効果処理を行うことが可能である。請求項５に係る撮像装置によれば、よりユーザのニーズに近いタイミングでイベントを画像に当てはめることが可能である。
【００１２】
請求項６に係る撮像装置によれば、撮影位置を限定することができ、さらに、接続した特定のネットワークからリアルタイムに画像効果情報や、シンボル情報を取得することも可能である。例えば、時刻やユーザのアクセスレベルなどに応じ、検出対象のシンボルを変更したり、シンボルに連動した画像効果を変更することが可能である。請求項７に係る撮像装置によれば、シンボルの無い画像に対し、シンボルや画像効果情報などを関連付ける処理を行わずに済む。請求項８に係る撮像装置によれば、撮影した画像に対し、何の画像効果を適用すればよいか、シンボル識別情報によって判別することが可能である。
【００１３】
請求項９に係る撮像装置によれば、撮影しながらどのような画像効果が適用されるのか、ユーザが確認しながら撮影することが可能である。請求項１０に係る撮像装置によれば、撮影の処理とシンボル検知処理を同時に行わないことによって、処理負荷を軽減することができる。請求項１１に係る撮像装置によれば、実際の画像効果をユーザが確認しながら撮影を行うことが可能である。請求項１２に係る撮像装置によれば、撮影後の画像再生時に画像効果を確認することが可能である。
【００１４】
請求項１３に係る撮像装置によれば、ユーザが必要とする時のみ画像効果処理を行うことが可能である。請求項１４に係る撮像装置によれば、画像効果処理済みの画像情報を記録することが可能である。請求項１５に係る撮像装置によれば、画像効果処理済みと、画像効果処理を行っていない画像の両方を記録することが可能である。請求項１７に係る再生装置によれば、再生時に娯楽性を維持することができる。
【発明を実施するための最良の形態】
【００１５】
本発明の撮像装置、その画像処理方法、再生装置、プログラムおよび記憶媒体の実施の形態について図面を参照しながら説明する。本実施形態の撮像装置はデジタルビデオカメラに適用される。
［第１の実施形態］
図１は第１の実施形態におけるデジタルビデオカメラの構成を示すブロック図である。デジタルビデオカメラは、カメラ部１１、システム制御部１２、画像処理部１３、ＳＤＲＡＭ１４、外部インタフェース（ＩＦ）１５、圧縮伸張部１６、画像認識処理部１７および画像効果処理部１８を有する。また、デジタルビデオカメラは、ＨＤＤインタフェース（ＩＦ）１９、ハードディスクドライブ（ＨＤＤ）部２０、出力インタフェース（ＩＦ）２１、ＬＣＤ部２２、ＵＩ部２３および通信部２４を有する。
【００１６】
カメラ部１１は被写体の撮影を行って得られる画像を取り込む。システム制御部１２は、ＣＰＵを搭載し、装置全体の動作を制御する。画像処理部１３は、カメラ部１１で取り込まれた画像データを処理し、ＳＤＲＡＭ１４に書き込む。
【００１７】
外部ＩＦ１５は、外部との通信情報のやり取りを行う。圧縮伸張部１６は、画像情報のエンコードおよびデコードを行う。画像認識処理部１７は、ＳＤＲＡＭ１４に展開された画像情報内に特定のシンボルが存在するか否かを判別する。
【００１８】
画像効果処理部１８は、ＳＤＲＡＭ１４に展開された画像情報に対して特定の画像処理を行う。ＨＤＤ部２０は画像情報やその他情報を記録する。出力ＩＦ２１はＳＤＲＡＭ１４に展開されている画像情報を外部に出力する。ＬＣＤ部２２は、出力ＩＦ２１に接続され、出力された画像を表示する。
【００１９】
その他、外部ＩＦ１５には、ユーザが後述する画像効果ＯＮ等の各種操作を行うためのＵＩ部２３、および外部との通信を可能にする通信部２４が接続されている。通信部２４には、１３９４接続端子、ＵＳＢ端子、無線ＬＡＮ接続端子、ＧＰＳ情報受信部などが設けられている。なお、デジタルビデオカメラの位置情報は、通信部２４内のＧＰＳ情報受信部によって取得される。また、撮影日時などの時刻情報は、システム制御部１２内部のタイマによって管理されてもよいし、通信部２４を介して送られる時刻情報を用いて管理されてもよい。この撮影日時などの時刻情報を管理する手段は撮影日時認識手段に相当する。
【００２０】
図２はイベント情報セットを選択するためのイベント情報選択画面を示す図である。外部ＩＦ１５によって、ＵＩ部２３には、イベント情報選択画面が表示される。イベント情報選択画面では、外部情報元（インターネット、ＬＡＮ、ＰＣ）から得たイベント情報セット取得済みのイベントの名称がリストとして表示されている。この画面では、「くまのこ遊園地  ２００７．４．１７〜２００７．７．２０」のイベントがユーザによって選択されている。
【００２１】
また、２番目のイベント、「にこにこ劇場キッズショー  ２００７．９．２９」がグレー表示となっている。これは、現在の日時がこのイベント有効期間２００７年９月２９日ではないことを示し、ユーザによる選択が不可であることも示している。一方、現在選択されている「くまのこ遊園地  ２００７．４．１７〜２００７．７．２０」のイベントは、現在の日時が、イベント有効期限２００７年４月１７日から２００７年７月２０日の間であるため、選択可となっていることは言うまでも無い。
【００２２】
この後、ユーザによって確定処理が行われると、デジタルビデオカメラは、選択されたイベントでの撮影開始準備状態に移行する。
【００２３】
図３は図２でイベント「くまのこ遊園地  ２００７．４．１７〜２００７．７．２０」を選択し、イベント撮影開始準備が終了した後、ＵＩ部２３に表示されるイベント撮影設定スタート画面を示す図である。くまのこ遊園地での撮影をこれから開始する場合、ユーザは「スタート」を選択することによってイベント撮影を開始することができる。
【００２４】
図４はイベント撮影開始後、イベント情報に含まれるエリア情報外にビデオカメラが存在する場合、ＵＩ部２３に表示される画面を示す図である。イベント撮影は規定エリア内でのみ有効となるため、エリア外ではイベント撮影不可であることがユーザに示される。
【００２５】
図５はイベント情報選択画面におけるＧＵＩ処理手順を示すフローチャートである。この処理プログラムはシステム制御部１２内のＲＯＭに格納されており、システム制御部１２内のＣＰＵによって実行される。
【００２６】
本処理のスタート後、システム制御部１２は、外部情報元（インターネット、ＬＡＮ、ＰＣ）から、何らかのイベント情報セットを取得済みであるか否かを判別する（ステップＳ１）。イベント情報セットを取得できていない場合、システム制御部１２は、そのまま本処理を終了する。一方、イベント情報セットを取得済みである場合、システム制御部１２は、イベント情報選択画面（図２参照）を表示する処理を行う（ステップＳ２）。なお、取得済みのイベント情報セットはＳＤＲＡＭ１４あるいはＨＤＤ部２０に記憶されている。
【００２７】
この後、システム制御部１２は、ユーザのイベント選択操作に応じてイベント情報を選択するためのＧＵＩ処理を行う（ステップＳ３）。そして、システム制御部１２は、選択されたイベント情報が確定されたか否かを判別し（ステップＳ４）、確定が終了するまで、ステップＳ３、Ｓ４の処理を繰り返す。
【００２８】
イベント情報の選択が確定すると、システム制御部１２は、イベント撮影設定スタート画面（図３参照）の表示処理を行い（ステップＳ５）、ユーザによるイベント撮影を実行するかキャンセルするかの選択を行うためのＧＵＩ処理を行う（ステップＳ６）。このステップＳ６の処理は、イベント状態を入力するイベント状態入力手段に相当する。
【００２９】
システム制御部１２は、実行あるいはキャンセルの選択が確定されたか否かを判別し（ステップＳ７）、確定されるまでステップＳ６、Ｓ７の処理を繰り返し、確定された後、本処理を終了する。
【００３０】
図６はイベント撮影適用エリア外であることを示す表示（図４参照）を行うためのエリア外警告画面表示処理手順を示すフローチャートである。この処理プログラムはシステム制御部１２内のＲＯＭに格納されており、システム制御部１２内のＣＰＵによって実行される。
【００３１】
システム制御部１２は、まず、現在位置のＧＰＳ情報とイベント情報に付加されているＧＰＳ情報を比較し、現在位置がイベント情報に付加されているＧＰＳ情報によるエリア内にあるか否かを判別する（ステップＳ１１）。この結果、エリア外であると判別された場合、システム制御部１２は、エリア外警告画面表示処理を行う（ステップＳ１２）。
【００３２】
この後、システム制御部１２は、エリア内に入ったか否かを監視する（ステップＳ１３）。エリア内に入った場合、あるいはステップＳ１１でエリア内である場合、システム制御部１２は、イベント撮影実行処理を行い（ステップＳ１４）、本処理を終了する。なお、ステップＳ１１、Ｓ１３でＹＥＳである処理は、撮像装置（デジタルビデオカメラ）がエリア内にあるという位置情報を取得する位置情報取得手段に相当する。
【００３３】
図７はステップＳ１４におけるイベント撮影実行処理手順を示すフローチャートである。イベント撮影実行処理が開始されると、システム制御部１２は、カメラ部１１によって撮影を行い、撮影画像に対し、イベントＩＤ（イベント識別情報）を付加して画像の記録を行う（ステップＳ２１）。この後、元の処理に復帰する。
【００３４】
図８は実際に撮影を行ったシーンの再生画面を示す図である。このシーンに対し、図７のイベント撮影実行処理によってイベントＩＤが付加されている場合、再生画像には、イベントＩＤ付加アイコン８１が表示される。ユーザは、このアイコンによって、イベント撮影が行われた画像であると認識し、ＵＩ部２３を介してイベント撮影によって行われる画像効果（エフェクト）処理を有効にするか無効にするかの設定を行うことができる。
【００３５】
図９はユーザが画像効果処理を有効にした場合の再生画面を示す図である。システム制御部１２は、画像認識処理部１７によって、画面上、位置９２にイベントに関連付けられて記憶されているシンボルが存在することを検知し、画像効果処理部１８によって、検知したシンボルに応じたアニメーション９３を重畳している。本実施形態では、検出したシンボルに対してアニメーションだけでなく音声データも付随して記憶されているため、音声も重畳されることになる。
【００３６】
図１０は図５で取得済みとなっていたイベント情報セットの内容を示す図である。まず、イベントＩＤとして、イベント名「くまのこ遊園地」、日時「２００７．４．１７」、およびＧＰＳ情報が存在している。
【００３７】
このイベントＩＤ（イベント識別情報）には、シンボルａ〜ｃ等のシンボルＩＤ（シンボル識別情報）が付随しており、さらに各シンボルには画像効果処理用データが付随している。この中で、シンボルａに付随する「ランダム効果フラグ」とは、シンボルａが画面上で検知された場合に行う画像効果処理を、シンボルａに付随する画像効果処理データ１〜３の中からランダムに選択することを示すフラグである。ランダムに画像効果処理を行うため、ユーザは再生するたびに異なる画像効果処理を得ることができる。
【００３８】
また、シンボルｃの画像効果処理用データ内の「時刻データ」とは、撮影時刻とこの時刻データを比較し、撮影時刻がこの時刻データ内であれば画像効果処理を許可するフラグとして機能するものである。
【００３９】
図１１は、図８と同様、イベントＩＤが付加されている画像の再生画面を示す図である。ユーザが図１１の再生画面において画像効果処理を有効にした場合、画面下部に画像が挿入される（図１２参照）。図１２は画面下部に画像が挿入された再生画面を示す図である。
【００４０】
この画面の場合、シンボルとして検知されたのは、図１０のシンボルｃであるので、撮影時刻と画像効果処理用データ内の時刻データとの比較が行われ、撮影時刻が時刻データ内の時刻に適合する画像効果処理用データが適用されている。すなわち、撮影時刻に応じた画像効果処理用データとして、「時刻データ＋画像データ」１、２（図１０参照）のいずれかが適用される。
【００４１】
図１３は再生時にユーザによって画像効果ＯＮが選択された場合に行われる画像効果処理手順を示すフローチャートである。この処理プログラムはシステム制御部１２内のＲＯＭに格納されており、システム制御部１２内のＣＰＵによって実行される。
【００４２】
システム制御部１２は、まず、ＵＩ部２３を介して、ユーザによって画像効果ＯＮが設定されているか否かを判別する（ステップＳ３１）。画像効果ＯＮが設定されていない場合、システム制御部１２は、そのまま本処理を終了する。
【００４３】
一方、画像効果ＯＮが設定されていた場合、システム制御部１２は、イベントＩＤが再生画像に付加されているか否かを判別する（ステップＳ３２）。イベントＩＤが再生画像に付加されていない場合、システム制御部１２は、そのまま本処理を終了する。なお、ステップＳ３２の処理はイベント判別手段に相当する。
【００４４】
一方、イベントＩＤが付加されている場合、システム制御部１２は、イベントＩＤに付随するシンボルデータを、イベント情報セットが記憶されているＳＤＲＡＭ１４あるいはＨＤＤ部２０から取得する（ステップＳ３３）。システム制御部１２は、再生中、取得したシンボルが再生画像内に存在するか否かを判別するための検知処理を行う（ステップＳ３４）。
【００４５】
この検知処理の結果、システム制御部１２は、再生画像内にシンボルを検知したか否かを判別する（ステップＳ３５）。シンボルが検知された場合、システム制御部１２は、検知したシンボルに付随する画像効果処理用データの選択処理を行う（ステップＳ３６）。そして、システム制御部１２は、選択された画像効果処理用データを用いた画像効果処理を行う（ステップＳ３７）。このように、シンボルが検知された場合、撮影した画像に対し、何の画像効果を適用すればよいか、シンボルの種類を示すシンボル識別情報（図１０のシンボルａ、シンボルｂ、シンボルｃ）によって容易に判別することが可能である。なお、ステップＳ３４、Ｓ３５の処理はシンボル検出手段に相当する。
【００４６】
ステップＳ３７の処理後、あるいはステップＳ３５でシンボルが検知されなかった場合、システム制御部１２は、シーンが終了したか否かを判別し（ステップＳ３８）、終了していない場合、ステップＳ３４の処理に戻り、シーンの終了まで同様の処理を繰り返す。一方、シーンが終了すると、システム制御部１２は、本処理を終了する。
【００４７】
図１４はステップＳ３６における画像効果処理を行うための画像効果処理用データの選択処理手順を示すフローチャートである。選択処理が開始されると、システム制御部１２は、画像効果処理用データの中にランダムフラグがあるか否かを判別する（ステップＳ４１）。
【００４８】
ランダムフラグがあった場合、システム制御部１２は、複数ある画像効果処理用データの中からランダムにデータを選択し（ステップＳ４２）、元の処理に復帰する。一方、ランダムフラグが無い場合、システム制御部１２は、時刻データが画像効果処理用データ内にあるか否かを判別する（ステップＳ４３）。
【００４９】
時刻データが画像効果処理用データ内にあった場合、システム制御部１２は、撮影時刻（撮影日時）と時刻データの比較を行い、撮影時刻が時刻データに適合するものを画像効果処理用データとして選択する（ステップＳ４４）。この後、システム制御部１２は、元の処理に復帰する。なお、ステップＳ４４の処理で撮影日時を認識することは撮影日時認識手段に相当する。
【００５０】
また一方、時刻データもない場合、ランダム選択や時刻による選択が必要ない画像効果処理用データがシンボルに１つ付随しているので、システム制御部１２は、そのまま選択を行う（ステップＳ４５）。例えば、シンボルｂに付随する画像効果処理用データである「アニメデータ＋音声データ」の場合が挙げられる。この後、システム制御部１２は、本処理を終了する。
【００５１】
第１の実施形態の撮像装置（デジタルビデオカメラ）によれば、イベントに関連した画像効果処理を、適切な場面で自動的に挿入することが可能となる。従って、繰り返し撮影を行っても娯楽性を維持することができる。また、ユーザがシーンごとに画像効果を一々設定する煩わしさが解消される。
【００５２】
このように、イベントに関連付けて特定の画像効果を撮影画像に与えることが可能である。また、簡便なシステムでイベント特有の画像効果を行うことが可能である。また、イベント中か否かの判別を、位置情報に関連付けることによって、撮影位置に特化した画像効果処理を行うことが可能である。また、撮影日時に特化した画像効果処理を行うことが可能である。また、ユーザが画像効果ＯＮを操作することで、よりユーザのニーズに近いタイミングでイベントを画像に当てはめることが可能である。
【００５３】
また、撮影後の画像再生時に画像効果（エフェクト）を確認することが可能である。また、ユーザが必要とする時のみ画像効果処理を行うことが可能である。また、撮影した画像に対し、何の画像効果を適用すればよいか、シンボルＩＤによって判別することが可能である。また、撮影の処理とシンボル検知処理を同時に行わないことによって、処理負荷を軽減することができる。
［第２の実施形態］
第２の実施形態のデジタルビデオカメラの構成は前記第１の実施形態と同様であるので、同一の符号を用いることでその説明を省略する。ただし、第２の実施形態の外部ＩＦ１５は、特定ＬＡＮに接続されたか否かを判別する判別部を有し、さらにその特定ＬＡＮ情報は、イベント情報セット内に含まれる。
【００５４】
図１５は第２の実施形態におけるイベント情報セットの内容を示す図である。このイベント情報セットでは、前記第１の実施形態におけるＧＰＳ情報の代わりに、特定ＬＡＮ情報が設定されている。この特定ＬＡＮ（ネットワーク）に接続可能なエリアは限定されるため、現在のエリアを判別することが可能となっている。イベント撮影を有効にするためのエリア判別は、前記第１の実施形態と異なり、この特定ＬＡＮへの接続状態によって行われる。
【００５５】
図１６は特定ＬＡＮに接続した時にＵＩ部２３に表示されるメッセージ画面を示す図である。このメッセージ画面では、イベント撮影可能エリアに入ったことが示される。つまり、エリア内に入ったことがユーザに示される。
【００５６】
図１７はイベント撮影を実行するために必要なシンボルを撮影した画面を示す図である。ここで撮影されたシンボルは、図１５におけるシンボルｂ（スタートシンボル）に相当し、このシンボルに付随する画像効果処理用データの中には、イベントの撮影スタートフラグが含まれているため、このシンボルを撮影したことにより、イベント撮影が可能になる。
【００５７】
図１８は図１６のイベント撮影可能エリアに入ってから図１７のイベント撮影スタートを行うまでの処理手順を示すフローチャートである。この処理プログラムはシステム制御部１２内のＲＯＭに格納されており、システム制御部１２内のＣＰＵによって実行される。
【００５８】
システム制御部１２は、まず、エリア内であるか否かを特定ＬＡＮに接続しているか否かによって判別する（ステップＳ５１）。エリア外である場合、システム制御部１２は、ＵＩ部２３にエリア外警告画面を表示する（ステップＳ５２）。図１９はエリア外警告画面を示す図である。
【００５９】
この後、システム制御部１２は、エリア内に入るまで待機する（ステップＳ５３）。エリア内に入った場合、あるいはステップＳ５１でエリア内である場合、システム制御部１２は、スタートシンボルの撮影が行われるまで再び待機状態になる（ステップＳ５４）。スタートシンボルが撮影された後、システム制御部１２は、イベント撮影を実行する（ステップＳ５５）。この後、システム制御部１２は、本処理を終了する。なお、ステップＳ５１、Ｓ５３でＹＥＳの処理は、エリア内検知手段に相当する。
【００６０】
図２０はステップＳ５５におけるイベント撮影実行処理手順を示すフローチャートである。システム制御部１２は、まず、エリア内に入ったことにより設定されているイベントＩＤに付随するシンボルデータをＳＤＲＡＭ１４あるいはＨＤＤ部２０から取得する（ステップＳ６１）。システム制御部１２は、撮影実行中、現在撮影している画像内にそのシンボルが存在するか否かの検知処理を行う（ステップＳ６２）。
【００６１】
この検知処理の結果、システム制御部１２は、シンボルが検知されたか否かを判別し（ステップＳ６３）、シンボルが検知されない場合、撮影画像にイベントＩＤを付加してＨＤＤ部２０に記録する（ステップＳ６４）。この後、システム制御部１２は、元の処理に戻る。
【００６２】
一方、検知処理の結果、シンボルが検知されると、システム制御部１２は、検知したシンボルに付随する画像効果処理用データの選択処理を行う（ステップＳ６５）。システム制御部１２は、選択された画像効果処理用データを用いた画像効果処理を行う（ステップＳ６６）。そして、システム制御部１２は、画像処理済みの撮影画像に、イベントＩＤおよびシンボルＩＤを付加してＨＤＤ部２０に記録する（ステップＳ６７）。この後、システム制御部１２は、元の処理に戻る。なお、撮影の処理とシンボル検知処理を同時に行わないようにしてもよく、この場合、処理負荷を軽減することができる。
【００６３】
ここで、画像効果処理用データの選択処理は、前記第１の実施形態と同様、図１４で示される処理となる。また、前記第１の実施形態と異なり、第２の実施形態においては、撮影される画像に対して画像効果処理が行われるため、画像効果処理済の画像データがＨＤＤ部２０に記録されることになる。
【００６４】
このように、第２の実施形態の撮像装置（デジタルビデオカメラ）によれば、特定ＬＡＮに接続することで、撮影位置を限定することができる。さらに、接続した特定ＬＡＮからリアルタイムに画像効果情報や、シンボル情報を取得することも可能である。例えば、時刻やユーザのアクセスレベルなどに応じ、検出対象のシンボルを変更したり、シンボルに連動した画像効果を変更することが可能である。また、シンボルの無い画像に対し、シンボルや画像効果情報などを関連付ける処理を行わずに済む。また、画像効果処理済みの画像情報を記録することが可能である。また、画像効果処理済みと、画像効果処理を行っていない画像の両方を記録することも可能である。
【００６５】
なお、本発明は、上記実施形態の構成に限られるものではなく、特許請求の範囲で示した機能、または本実施形態の構成が持つ機能が達成できる構成であればどのようなものであっても適用可能である。
【００６６】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００６７】
この場合、記憶媒体から読み出されたプログラムコード自体が前述した実施の形態の機能を実現することになり、そのプログラムコード及び該プログラムコードを記憶した記憶媒体は本発明を構成することになる。
【００６８】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００６９】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００７０】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００７１】
【図１】第１の実施形態におけるデジタルビデオカメラの構成を示すブロック図である。
【図２】イベント情報セットを選択するためのイベント情報選択画面を示す図である。
【図３】イベント「くまのこ遊園地  ２００７．４．１７〜２００７．７．２０」を選択し、イベント撮影開始準備が終了した後、ＵＩ部２３に表示されるイベント撮影設定スタート画面を示す図である。
【図４】イベント撮影開始後、イベント情報に含まれるエリア情報外にビデオカメラが存在する場合、ＵＩ部２３に表示される画面を示す図である。
【図５】イベント情報選択画面におけるＧＵＩ処理手順を示すフローチャートである。
【図６】イベント撮影適用エリア外であることを示す表示を行うためのエリア外警告画面表示処理手順を示すフローチャートである。
【図７】ステップＳ１４におけるイベント撮影実行処理手順を示すフローチャートである。
【図８】実際に撮影を行ったシーンの再生画面を示す図である。
【図９】ユーザが画像効果処理を有効にした場合の再生画面を示す図である。
【図１０】イベント情報セットの内容を示す図である。
【図１１】イベントＩＤが付加されている画像の再生画面を示す図である。
【図１２】画面下部に画像が挿入された再生画面を示す図である。
【図１３】再生時にユーザによって画像効果ＯＮが選択された場合に行われる画像効果処理手順を示すフローチャートである。
【図１４】ステップＳ３６における画像効果処理を行うための画像効果処理用データの選択処理手順を示すフローチャートである。
【図１５】第２の実施形態におけるイベント情報セットの内容を示す図である。
【図１６】特定ＬＡＮに接続した時にＵＩ部２３に表示されるメッセージ画面を示す図である。
【図１７】イベント撮影を実行するために必要なシンボルを撮影した画面を示す図である。
【図１８】図１６のイベント撮影可能エリアに入ってから図１７のイベント撮影スタートを行うまでの処理手順を示すフローチャートである。
【図１９】エリア外警告画面を示す図である。
【図２０】ステップＳ５５におけるイベント撮影実行処理手順を示すフローチャートである。
【符号の説明】
【００７２】
１１  カメラ部
１２  システム制御部
１７  画像認識処理部
１８  画像効果処理部
２３  ＵＩ部
８１  イベントＩＤ付加アイコン
９２  シンボル
９３  アニメーション
【図１】
0004895392.tif 000002
【図２】
0004895392.tif 000003
【図３】
0004895392.tif 000004
【図４】
0004895392.tif 000005
【図５】
0004895392.tif 000006
【図６】
0004895392.tif 000007
【図７】
0004895392.tif 000008
【図８】
0004895392.tif 000009
【図９】
0004895392.tif 000010
【図１０】
0004895392.tif 000011
【図１１】
0004895392.tif 000012
【図１２】
0004895392.tif 000013
【図１３】
0004895392.tif 000014
【図１４】
0004895392.tif 000015
【図１５】
0004895392.tif 000016
【図１６】
0004895392.tif 000017
【図１７】
0004895392.tif 000018
【図１８】
0004895392.tif 000019
【図１９】
0004895392.tif 000020
【図２０】
0004895392.tif 000021